(57)【要約】  少なくとも温度を測定する第１センサと、前記第１センサで測定された温度が入力される制御部と、前記制御部に電気的に接続された温度変化素子と、前記温度変化素子の一方の側に設けられた放熱部材と、前記放熱部材の周囲の換気を行うファンとを備えた温度制御装置。
2020066564.tif 000002
【特許請求の範囲】
【請求項１】
少なくとも温度を測定する第１センサと、
前記第１センサで測定された温度が入力される制御部と、
前記制御部に電気的に接続された温度変化素子と、
前記温度変化素子の一方の側に設けられた放熱部材と、
前記放熱部材の周囲の換気を行うファンと
を備えた温度制御装置。
【請求項２】
更に、前記制御部、前記温度変化素子および前記ファンに電源電圧を供給するバッテリを有する
請求項１に記載の温度制御装置。
【請求項３】
前記第１センサは、前記温度および湿度を測定する
請求項１に記載の温度制御装置。
【請求項４】
前記第１センサは、当該温度制御装置の使用者の体表面近傍の前記温度および前記湿度を測定する
請求項３に記載の温度制御装置。
【請求項５】
更に、当該温度制御装置が配置された環境の温度および湿度を測定する第２センサを有する
請求項４に記載の温度制御装置。
【請求項６】
更に、前記温度変化素子の温度を測定する第３センサを有する
請求項５に記載の温度制御装置。
【請求項７】
前記制御部は、少なくとも、予め入力された温度の設定値と、前記第１センサで測定された前記温度および前記湿度と、前記第２センサで測定された前記温度および前記湿度と、前記第３センサで測定された温度とに基づいて、前記温度変化素子の温度を制御するように構成されている
請求項６に記載の温度制御装置。
【請求項８】
更に、当該温度制御装置の加速度を測定し、測定した前記加速度が前記制御部に入力される第４センサを有し、
前記制御部は、更に、前記第４センサで測定された前記加速度に基づいて前記温度変化素子の温度を制御するように構成されている
請求項７に記載の温度制御装置。
【請求項９】
前記制御部の信号に基づいて前記温度が制御される間、前記温度変化素子に流れる電流量が変化するように構成されている
請求項１に記載の温度制御装置。
【請求項１０】
前記制御部には、ウエアラブル機器との間でデータの送受信が可能な無線通信部が設けられている
請求項１に記載の温度制御装置。
【請求項１１】
前記温度変化素子は、ペルチェ素子により構成されている
請求項１に記載の温度制御装置。
【請求項１２】
湾曲した側面形状を有する
請求項１に記載の温度制御装置。
【請求項１３】
温度制御装置を収容するポケットが設けられ、
前記温度制御装置は、
少なくとも温度を測定するセンサと、
前記センサで測定された温度が入力される制御部と、
前記制御部に電気的に接続された温度変化素子と、
前記温度変化素子の一方の側に設けられた放熱部材と、
前記放熱部材の周囲の換気を行うファンとを有する
衣服。
【請求項１４】
前記ポケットは、使用者の体表面側に設けられている
請求項１３に記載の衣服。
【請求項１５】
前記ポケットは、使用者の体表面と反対側に設けられている
請求項１３に記載の衣服。
【請求項１６】
温度制御装置の取付部を有し、
前記温度制御装置は、
少なくとも温度を測定するセンサと、
前記センサで測定された温度が入力される制御部と、
前記制御部に電気的に接続された温度変化素子と、
前記温度変化素子の一方の側に設けられた放熱部材と、
前記放熱部材の周囲の換気を行うファンとを有する
取付補助具。
【請求項１７】
ストラップ形状を有する
請求項１６に記載の取付補助具。
【発明の詳細な説明】
【技術分野】
【０００１】
本技術は、ウエアラブル（Wearable）な温度制御装置、この温度制御装置を収容するポケットが設けられた衣服およびこの温度制御装置の取付部を有する取付補助具に関する。
【背景技術】
【０００２】
温暖化およびヒートアイランド現象等に起因して、冷却機能を有する温度制御装置の開発が進められている（例えば、特許文献１参照）。この温度制御装置は、例えば、衣服等に取り付けられるようになっている。
【先行技術文献】
【特許文献】
【０００３】
【特許文献１】特開２０１８−３１１０１号公報
【発明の概要】
【０００４】
このようなウエアラブルな温度制御装置では、より使用者の快適性を高めることが望まれている。
【０００５】
したがって、より使用者の快適性を高めることが可能な温度制御装置、この温度制御装置を収容するポケットが設けられた衣服およびこの温度制御装置の取付部を有する取付補助具を提供することが望ましい。
【０００６】
本技術の一実施の形態に係る温度制御装置は、少なくとも温度を測定する第１センサと、第１センサで測定された温度が入力される制御部と、制御部に電気的に接続された温度変化素子と、温度変化素子の一方の側に設けられた放熱部材と、放熱部材の周囲の換気を行うファンとを備えたものである。
【０００７】
本技術の一実施の形態に係る衣服は、上記本技術の一実施の形態に係る温度制御装置を収容するポケットが設けられたものである。
【０００８】
本技術の一実施の形態に係る取付補助具は、上記本技術の一実施の形態に係る温度制御装置の取付部を有するものである。
【０００９】
本技術の一実施の形態に係る温度制御装置、衣服および取付補助具では、第１センサ（またはセンサ）で測定された温度が制御部に入力されるので、第１センサで測定された温度に応じて温度変化素子の温度制御がなされる。
【図面の簡単な説明】
【００１０】
【図１】（Ａ）は、本技術の一実施の形態に係る温度制御装置の外観の一例を表す正面図であり、（Ｂ）は、（Ａ）に示した温度制御装置の左側面図であり、（Ｃ）は、（Ａ）に示した温度制御装置の右側面断面図であり、（Ｄ）は、（Ａ）に示した温度制御装置の右側面図であり、（Ｅ）は、（Ａ）に示した温度制御装置の背面図であり、（Ｆ）は、（Ａ）に示した温度制御装置の平面図であり、（Ｇ）は、（Ａ）に示した温度制御装置の底面図である。
【図２】図１に示した温度制御装置の筐体の内部の正面側の構成の一例を模式的に表す斜視図である。
【図３】図２に示した温度制御装置の背面側の構成の一例を模式的に表す図である。
【図４】図２に示した温度制御装置の底面側の構成の一例を模式的に表す図である。
【図５Ａ】図２に示したファン等を外した状態の構成を模式的に表す図である。
【図５Ｂ】図５Ａに示した一部の拡大図である。
【図６】図２等に示した温度制御装置の構成の一例を表すブロック図である。
【図７】図６に示したウエアラブル機器の表示面の構成の一例を表す図である。
【図８Ａ】図７に示した表示面の構成の具体例（１）を表す図である。
【図８Ｂ】図７に示した表示面の構成の具体例（２）を表す図である。
【図８Ｃ】図７に示した表示面の構成の具体例（３）を表す図である。
【図９】図６に示した制御部による温度制御の方法の一例を表す流れ図である。
【図１０】図９に示したステップＳ２の一例について説明するための図である。
【図１１】図９に示したステップＳ３の例（１）について説明するための図である。
【図１２】図９に示したステップＳ３の例（２）について説明するための図である。
【図１３】図９に示したステップＳ４の一例について説明するための図である。
【図１４】図６に示した温度制御装置の通信状態の他の例を表すブロック図である。
【図１５Ａ】図２等に示した温度制御装置を収容可能なポケットの一例を表す図である。
【図１５Ｂ】図１５Ａに示したポケットの他の例（１）を表す図である。
【図１６】図２等に示した温度制御装置の動作を説明するための図である。
【図１７】図１６に示した温度制御装置の動作を説明するための他の図である。
【図１８Ａ】変形例１に係る温度制御装置１の背面側の構成を表す図である。
【図１８Ｂ】図１８Ａに示した温度制御装置１の正面側の構成を表す図である。
【図１９Ａ】変形例２に係る下着の胸側の構成を表す図である。
【図１９Ｂ】図１９Ａに示した下着の背側の構成を表す図である。
【図２０】図１９Ａ，図１９Ｂに示した下着の使用法について説明するための図である。
【図２１】変形例３に係る表示面の構成を表す図である。
【図２２】図２１に示した風量ボタンを選択後の表示面の構成の一例を表す図である。
【図２３】図２１に示したＭＹボタンを選択後の表示面の構成の一例を表す図である。
【図２４Ａ】図１５Ａに示したポケットの他の例（２）を表す図である。
【図２４Ｂ】図１５Ａに示したポケットの他の例（３）を表す図である。
【図２５】図２等に示した温度制御装置の取付部を有する取付補助具の構成の一例を表す図である。
【発明を実施するための形態】
【００１１】
以下、本技術の実施の形態について、図面を参照して詳細に説明する。なお、説明は以下の順序で行う。
１．実施の形態（センサを有する温度制御装置）
２．変形例１（各部のレイアウトの一例）
３．変形例２（下着の例）
４．変形例３（表示面の例）
５．その他の変形例
【００１２】
＜実施の形態＞
（温度制御装置１の外観）
図１（Ａ）〜（Ｇ）は、本技術の一実施の形態に係る温度制御装置（温度制御装置１）の外観の一例を表している。この温度制御装置１は、例えば、名刺ケースと同程度の大きさであり、衣服のポケット（例えば、後述の図１５Ａのポケット７０Ｐ）等に収容可能である。即ち、温度制御装置１は、使用者が身に着けて持ち歩くことが可能（ウエアラブル）な温度制御装置である。
【００１３】
図１（Ａ）は正面１Ａの構成、図１（Ｂ）は左側面１Ｂの構成、図１（Ｄ）は右側面１Ｄの構成、図１（Ｅ）は背面１Ｅの構成、図１（Ｆ）は平面１Ｆの構成、図１（Ｇ）は底面１Ｇの構成を各々表している。図１（Ｃ）は、右側面１Ｄの断面構成を表している。温度制御装置１は、後述のペルチェ素子（後述の図２のペルチェ素子１１）等を覆う筐体２０を有している。筐体２０は、例えばシリコンまたは樹脂材料等により構成されている。樹脂材料としては、例えば、ＡＢＳ樹脂（Acrylonitrile Butadiene Styrene共重合合成樹脂）およびＰＣ（Poly Carbonate）樹脂等が挙げられる。
【００１４】
温度制御装置１の正面１Ａおよび背面１Ｅの形状は矩形状である（図１（Ａ），図１（Ｅ））。この矩形状の長辺に対応する温度制御装置１の側面（図１（Ｂ）の左側面１Ｂおよび図１（Ｄ）の右側面１Ｄ）は、緩やかに湾曲している。この湾曲形状は、例えば、使用者である人体の形状、特に、背中付近および首付近の形状の湾曲に沿っている。これにより、使用者の装着箇所に温度制御装置１が適切に当たり、効果的に使用者の装着箇所の冷却または温めを行うことができる。
【００１５】
（温度制御装置１の各部の構成）
図２〜図４は、筐体２０を外した状態の温度制御装置１の構成を表している。図２は、正面１Ａ側の温度制御装置１の構成を表す斜視図である。図３は、背面１Ｅ側の温度制御装置１の平面構成を表している。図４は、底面１Ｇの温度制御装置１の平面構成を表している。温度制御装置１は、筐体２０の内側に、例えば、ペルチェ素子１１（温度変化素子）、放熱部材１２、放熱部材センサ１２Ｓ、ファン１３、バッテリ１４、回路基板１５、環境センサ２１Ｓ（第２センサ）および体表面センサ１０Ｓ（第１センサ）を有している。なお、図１に示した温度制御装置１の外観と、図２〜図４に示した温度制御装置１の外観とは若干異なっているが、温度制御装置１はいずれの外観を有していてもよく、これら以外の外観を有していてもよい。
【００１６】
ペルチェ素子１１は、電流を流すことにより温度制御を行うものである（図２，図３）。例えば、温度制御装置１の正面１Ａ側にペルチェ素子１１の一方の主面側が配置され、背面１Ｅ側にペルチェ素子１１の他方の主面側が配置されている。例えば、温度制御装置１が冷却動作を行うとき、ペルチェ素子１１の一方の主面側が放熱側となり、他方の主面側が吸熱側となる。ペルチェ素子１１は、例えば、シリコンにより保護されている。ペルチェ素子１１は、例えば、―２０℃〜２００℃程度の間で温度を調整することができる。ペルチェ素子１１は、回路基板１５に電気的に接続されており、回路基板１５からの信号に応じて温度制御がなされるようになっている。
【００１７】
図５Ａは、ファン１３を外した状態の正面１Ａの構成を表したものであり、図５Ｂは、図５Ａに示した一部（部分Ｂｂ）の構成を拡大して表している。ペルチェ素子１１の側面近傍には、ペルチェ素子センサ１１Ｓ（第３センサ）が設けられており、このペルチェ素子センサ１１Ｓとペルチェ素子１１とは、熱伝導部材１１Ｃにより接続されている。ペルチェ素子センサ１１Ｓは、例えばペルチェ素子１１の吸熱側の温度を測定するためのものであり、この測定温度に応じた信号が回路基板１５に入力されるようになっている。熱伝導部材１１Ｃは、例えば、シリコン，アクリル，グラファイトまたは銅箔等により構成されている。
【００１８】
放熱部材１２は、ペルチェ素子１１の一方を放熱するためのものであり、ペルチェ素子１１の放熱側に配置されている（図２）。例えば、ペルチェ素子１１の正面１Ａ側は、放熱部材１２で覆われている。放熱部材１２は、例えば四角形状の平面形状を有する板状部材であり、アルミニウム（Ａｌ）または銅（Ｃｕ）等の放熱フィンにより構成されている。
【００１９】
例えば、放熱部材１２の左側面１Ｂ側に放熱部材センサ１２Ｓが取付られている（図２）。放熱部材センサ１２Ｓは、放熱部材１２の温度を測定するためのものであり、この測定温度に応じた信号が回路基板１５に入力されるようになっている。
【００２０】
放熱部材１２の近傍にファン１３が配置されている（図２）。このファン１３により、放熱部材１２の周囲の換気がなされる。ファン１３は、例えば、矩形の平面形状を有する温度制御装置１のうち、ペルチェ素子１１および放熱部材１２と長辺方向に隣り合う位置に配置されている。ファン１３は、例えば温度制御装置１の正面１Ａに略平行に配置されている。このファン１３は、放熱部材１２を冷却するためのものであり、例えば薄型形状を有していることが好ましい。薄型形状のファン１３を用いることにより、温度制御装置１を薄型化することができる。
【００２１】
ファン１３の正面１Ａ側の筐体２０には、複数の吸気口２０Ｉが設けられている（図１，図２）。ファン１３により、この吸気口２０Ｉから外気が吸気され、放熱部材１２に送風されるようになっている。例えば、正面１Ａ側の筐体２０には、凹部２０Ｒが設けられている（図１）。凹部２０Ｒは、例えば、一方の短辺に設けられている。この凹部２０Ｒに、吸気口２０Ｉが設けられている。例えば、ファン１３と隣り合う部分（放熱部材１２と反対側の部分）の筐体２０は、ファン１３の正面１Ａ側の筐体２０よりも背面１Ｅ側に配置されており、これらの間には段差が設けられている。この段差にも吸気口２０Ｉが設けられていることが好ましい。これにより、仮に、ファン１３の正面１Ａ側の筐体２０に設けられた吸気口２０Ｉが衣服等に密着して十分な吸気が行えない場合にも、段差の吸気口２０Ｉから吸気を行うことが可能となる。
【００２２】
筐体２０の底面１Ｇには、排気口（排気口２０Ｅ）が設けられている（図４）。この排気口２０Ｅにより、ファン１３から送られて放熱部材１２を冷却した風が吹き出されるようになっている。
【００２３】
環境センサ２１Ｓは、例えば、吸気口２０Ｉ近傍に配置されており、環境センサ２１Ｓの一部は筐体２０から露出されている（図２）。筐体２０から露出された部分の環境センサ２１Ｓは、防水シート（図示せず）に覆われている。この防水シートは、空気を透過させるようになっている。環境センサ２１Ｓは、温度制御装置１が配置された環境の温度および湿度を測定するためのものであり、この測定温度および測定湿度に応じた信号が回路基板１５に入力されるようになっている。温度制御装置１が、例えば、後述のように下着のポケット（後述の図１５Ａ，図１５Ｂのポケット７０Ｐ）に収容されるとき、環境センサ２１Ｓは衣服内（使用者の体表面と衣服との間）の温度および湿度を測定する。環境センサ２１Ｓは、少なくとも温度制御装置１が配置された環境の温度を測定可能であればよい。
【００２４】
ファン１３の背面１Ｅ側には、例えば、バッテリ１４が設けられている（図２，図３）。このバッテリ１４は、ペルチェ素子１１、ファン１３および回路基板１５等に電源電圧を供給するためのものであり、ペルチェ素子１１、ファン１３および回路基板１５等に電気的に接続されている。バッテリ１４は、例えば矩形の平面形状を有している。
【００２５】
体表面センサ１０Ｓは、例えば、バッテリ１４の背面１Ｅ側に配置されている（図３）。この体表面センサ１０Ｓは、使用者の体表面近傍の温度および湿度を測定するためのものであり、この測定温度および測定湿度に応じた信号が回路基板１５に入力されるようになっている。体表面センサ１０Ｓは、防水シート（図示せず）に覆われていてもよい。体表面センサ１０Ｓは、例えば、回路基板１５に重ならない位置に配置されている。体表面センサ１０Ｓは、少なくとも使用者の体表面の温度を測定可能であればよい。
【００２６】
バッテリ１４に電気的に接続された回路基板１５は、例えば、バッテリ１４よりも、更に背面１Ｅ側に配置されている（図２，図３）。この回路基板１５は、放熱部材センサ１２Ｓおよび環境センサ２１Ｓおよび体表面センサ１０Ｓ等のセンサ群から入力された信号に応じてペルチェ素子１１およびファン１３に駆動信号を送るようになっている。回路基板１５は、例えば、バッテリ１４よりも小さい矩形状であり、バッテリ１４に重なって配置されている。
【００２７】
回路基板１５には、例えば、無線通信部１５Ｂが搭載されている（図３）。無線通信部１５Ｂは、例えば、ＢＬＥ（Bluetooth Low Energy）により構成されている。回路基板１５に無線通信部１５Ｂを搭載することにより、温度制御装置１と、温度制御装置１とは別のウエアラブル機器（後述の図６のウエアラブル機器５０）との間で無線通信を行うことが可能となる。
【００２８】
（温度制御装置１の温度制御方法）
図６は、温度制御装置１の温度制御の方法について説明するためのブロック図である。
【００２９】
温度制御装置１は、例えば、温度可変部ＴＶ、インターフェース部ＩＦ、センサ群Ｓｇ、メモリ部Ｍｅおよび制御部Ｃｒを含んでいる。
【００３０】
温度可変部ＴＶは、ペルチェ素子１１等により構成されている。温度可変部ＴＶは、制御部Ｃｒからの信号に応じて温度が調整されるようになっている。
【００３１】
インターフェース部ＩＦは、例えばボタン等により構成されており、インターフェース部ＩＦを介して、使用者は温度設定を行うことが可能となっている。例えば使用者は、インターフェース部ＩＦにより、温め方向に５段階、冷却方向に５段階の温度設定を行うことが可能となっている。この使用者による設定温度は、制御部Ｃｒに入力されるようになっている。また、使用者はインターフェース部ＩＦを介して温度制御装置１の動作モードの選択が行えるようになっていてもよい。温度制御装置１の動作モードは、例えば、スタンダードモード、肌エステモードおよびランニングモード等から選択可能になっている。スタンダードモードは、通勤および通学等の一般的な生活環境において快適に過ごすための温度制御を行うものである。肌エステモードは、肌状態の改善を目的としたものであり、一定時間、自動的に温めおよび冷却を繰り返すようになっている。例えば、このとき、センサ群Ｓｇ（体表面センサ１０Ｓ）により肌湿度を測定し、このデータを記録することにより、肌状態の改善を確認することができる。ランニングモードは、スタンダードモードの温度制御閾値を、ランニング状態に適応させたものである。これらの動作モードは一例であり、使用者は、他の動作モードから選択可能になっていてもよい。
【００３２】
センサ群Ｓｇは、例えば、ペルチェ素子センサ１１Ｓ、放熱部材センサ１２Ｓ、体表面センサ１０Ｓ、環境センサ２１Ｓに加えて、加速度センサＳＡ（第４センサ）およびガスセンサＳＧを含んでいる。加速度センサＳＡは、温度制御装置１の移動の速度の変化（加速度）を測定するためのものである。加速度センサＳＡの測定値により、例えば、歩行状態等の使用者の動作状態を予測することが可能となる。ガスセンサＳＧは、例えば、外気中の揮発性有機化合物（ＶＯＣｓ：Volatile Organic Compounds）、ＰＭ２．５および二酸化炭素（ＣＯ2）等の濃度を測定するためのものである。ガスセンサＳＧは、使用者の体表面の体臭成分等を測定するためのものであってもよい。このセンサ群Ｓｇのセンサ各々の測定値に応じた信号が、制御部Ｃｒに入力されるようになっている。
【００３３】
メモリ部Ｍｅは、例えば、ＮＡＮＤ型フラッシュメモリまたはＮＯＲ型フラッシュメモリ等により構成されている。このメモリ部Ｍｅには、温度可変部ＴＶ、インターフェース部ＩＦおよびセンサ群Ｓｇから制御部Ｃｒに入力されたデータの履歴（ログ）が記録されるようになっている。また、このデータの履歴に基づいて、制御部Ｃｒは使用者各々の生理的な特徴および生活習慣等に合わせた温度制御を学習することができるようになっている。即ち、温度制御装置１にメモリ部Ｍｅを設けることにより、使用者各々に、より適した温度制御を行うことが可能となる。
【００３４】
制御部Ｃｒは、例えば回路基板１５により構成されている。この制御部Ｃｒは、インターフェース部ＩＦから入力された設定温度およびセンサ群Ｓｇから入力される信号に応じて、温度可変部ＴＶおよびファン１３を駆動させるようになっている。これにより、温度可変部ＴＶの温度制御がなされる。
【００３５】
温度制御装置１は、例えば、無線通信部１５Ｂ（図３）により、温度制御装置１とは別のウエアラブル機器５０との間で、データの送受信が可能になっていてもよい。ウエアラブル機器５０は、例えば、スマートフォンおよびスマートウォッチ等である。例えば、使用者がウエアラブル機器５０から温度設定を行い、この設定温度が温度制御装置１の制御部Ｃｒに入力されるようになっていてもよい。使用者は、ウエアラブル機器５０から動作モードの選択を行い、この動作モードが温度制御装置１の制御部Ｃｒに入力されるようになっていてもよい。また、温度可変部ＴＶ、センサ群Ｓｇおよびインターフェース部ＩＦから制御部Ｃｒに入力されたリアルタイムのデータおよびその履歴が、ウエアラブル機器５０に送信されるようになっていてもよい。制御部Ｃｒの機能の一部をウエアラブル機器５０が担っていてもよい。ウエアラブル機器５０は、温度制御装置１から送られるデータの履歴を分析して、各使用者に適した温度制御装置１の使用方法および使用形態等の提案をするようにしてもよい。ウエアラブル機器５０は、温度制御装置１から送られるデータの履歴を分析するとともに各使用者に適した温度制御を学習し、温度制御装置１の制御アルゴリズムを更新するようにしてもよい。
【００３６】
図７は、ウエアラブル機器５０の表示面（表示面５０Ａ）の一例を表している。表示面５０Ａには、例えば、センサ群Ｓｇで測定されたリアルタイムのデータが表示される現状表示部ＲＬと、センサ群Ｓｇで測定されたデータの履歴が表示される統計表示部ＳＬと、使用者による設定温度が表示される温度設定表示部ＴＳとが設けられている。
【００３７】
図８Ａ〜図８Ｃは、現状表示部ＲＬおよび統計表示部ＳＬの具体的な例を表している。例えば、図８Ａに示したように、体表面センサ１０Ｓで測定された温度および湿度と、環境センサ２１Ｓで測定された温度および湿度とを現状表示部ＲＬおよび統計表示部ＳＬに示すようにしてもよい。図８Ｂに示したように、例えば、体表面センサ１０Ｓで測定された湿度から推定される発汗量のレベルを現状表示部ＲＬおよび統計表示部ＳＬに示すようにしてもよい。発汗量の推定は、例えば、体表面センサ１０Ｓで測定された湿度の変化の傾きから求めることができる。図８Ｃに示したように、例えば、ガスセンサＧＳで測定された使用者の体表面の体臭成分のレベルを現状表示部ＲＬおよび統計表示部ＳＬに示すようにしてもよい。
【００３８】
図９は、温度制御装置１の温度制御の方法の一例について説明するための流れ図である。以下では、この流れ図とともに、使用者が温度２５℃、湿度５０％の室内から、温度３２℃、湿度８０％の屋外に移動した状況の例を用いて温度制御の方法について説明する。
【００３９】
まず、制御部Ｃｒはトリガの検出を行う（ステップＳ１）。このトリガの検出は、例えば所定のパラメータの変化によりなされる。所定のパラメータの変化とは、例えば、使用者による設定温度の変化、環境センサ２１Ｓにより測定される外気の温度および湿度の変化、体表面センサ１０Ｓにより測定される体表面の温度および湿度の変化、あるいは、加速度センサＳＡにより測定される使用者の行動の変化等である。
【００４０】
トリガを検出した後、制御部Ｃｒは、使用者が温度制御装置１を装着しているか否かを判断する（ステップＳ２）。例えば、使用者が温度制御装置１をバッグに収納している状態など、使用者が温度制御装置１を身に着けていない状態の時には、制御部Ｃｒは温度可変部ＴＶを駆動させないようになっている。これにより、省電力化がなされ、バッテリ１４の使用可能時間を延ばすことができる。
【００４１】
制御部Ｃｒは、例えば、体表面センサ１０Ｓで測定された温度と環境センサ２１Ｓで測定された温度との差、および、体表面センサ１０Ｓで測定された湿度と環境センサ２１Ｓで測定された湿度との差から、使用者が温度制御装置１を装着しているか否かを判断する。
【００４２】
図１０は、使用者が温度制御装置１を装着しているときの体表面センサ１０Ｓおよび環境センサ２１Ｓの時間変化の一例を表している。使用者が、温度制御装置１を装着しているときには、体表面センサ１０Ｓで測定された温度と環境センサ２１Ｓで測定された温度との差、および、体表面センサ１０Ｓで測定された湿度と環境センサ２１Ｓで測定された湿度との差が大きくなる。一方、使用者が温度制御装置１を身に着けていない時には、体表面センサ１０Ｓで測定された温度と環境センサ２１Ｓで測定された温度との差、および、体表面センサ１０Ｓで測定された湿度と環境センサ２１Ｓで測定された湿度との差が小さくなる。
【００４３】
制御部Ｃｒは、使用者が温度制御装置１を装着していると判断した後、温度可変部ＴＶの温度制御が必要か否かを判断する（ステップＳ３）。例えば、制御部Ｃｒは、体表面センサ１０Ｓおよび環境センサ２１Ｓで測定された温度と湿度とから温度可変部ＴＶの温度制御が必要か否かを判断する。制御部Ｃｒは、例えば、体表面センサ１０Ｓおよび環境センサ２１Ｓ等で測定された温度および湿度から、使用者の発汗量、衣服内の快適性または不快指数等を推定する。
【００４４】
図１１は、衣服内の快適性を表す指標の一例であり、図１２は、不快指数と体感との関係の一例である。例えば、環境センサ２１Ｓで測定された温度が３４℃、湿度が８０％程度であるとき、制御部Ｃｒは使用者の衣服内が不快状態であると推定する。制御部Ｃｒは、衣服内快適性が不快状態または全く不快状態であると推定したとき、温度可変部ＴＶの温度制御が必要であると判断する。制御部Ｃｒは、体表面センサ１０Ｓで測定された湿度から推定される使用者の発汗量が閾値を超えたとき、温度可変部ＴＶの温度制御が必要であると判断してもよい。制御部Ｃｒは、環境センサ２１Ｓで測定された温度および湿度から推定される不快指数が、６０以下または７５以上であるとき、温度可変部ＴＶの温度制御が必要であると判断してもよい。例えば、環境センサ２１Ｓで測定された温度をＴ（℃）、湿度をＨ（％）としたとき、不快指数Ｓは以下の式（１）により求めることができる。
Ｓ＝０．８１Ｔ＋０．０１Ｈ（０．９９Ｔ−１４．３）＋４６．３・・・・・（１）
【００４５】
制御部Ｃｒが、温度可変部ＴＶの温度制御が不要であると判断したとき、制御部Ｃｒは温度可変部ＴＶを駆動させないようになっている。
【００４６】
制御部Ｃｒは、温度可変部ＴＶの温度制御が必要であると判断したとき、温度可変部ＴＶの温度制御を行う（ステップＳ４）。制御部Ｃｒは、例えば、所定のパラメータを、温度可変部ＴＶの温度設定に対応させる設定テーブルを有しており、この設定テーブルに基づいて温度可変部ＴＶの温度制御を行うようになっている。所定のパラメータとは、例えば、使用者により入力される温度設定、使用者の衣服内の快適性、使用者の発汗量、不快指数および使用者の行動等である。即ち、制御部Ｃｒは、インターフェース部ＩＦまたはウエアラブル機器５０から入力された信号およびセンサ群Ｓｇから入力された信号に基づいて、温度可変部ＴＶに駆動信号を送信する。
【００４７】
図１３は、使用者の移動による外気の温度変化と、ペルチェ素子１１（温度可変部ＴＶ）の温度設定との関係の一例を表している。使用者が温度制御装置１を装着した状態で、温度２５℃の室内から温度３２℃の屋外に出たとき、制御部Ｃｒはペルチェ素子１１に駆動信号を送信する。この駆動信号により、ペルチェ素子１１に所定量の電流が流れ、ペルチェ素子１１の温度が低下する。制御部Ｃｒは、ペルチェ素子１１にこのような駆動信号を送信するとともに、ファン１３を駆動させる。例えば、使用者がインターフェース部ＩＦまたはウエアラブル機器５０により、冷却方向に３段階目の温度設定を行っているとき、制御部Ｃｒはペルチェ素子１１の温度を２０℃に調整する。使用者がインターフェース部ＩＦまたはウエアラブル機器５０により、冷却方向に２段階目の温度設定を行っているとき、制御部Ｃｒはペルチェ素子１１の温度を２３℃に調整する。
【００４８】
ペルチェ素子センサ１１Ｓおよび放熱部材センサ１２Ｓは、ペルチェ素子１１および放熱部材１２の温度を測定し、この測定値に応じた信号を制御部Ｃｒに入力する。制御部Ｃｒでは、このペルチェ素子センサ１１Ｓおよび放熱部材センサ１２Ｓから入力された信号により、ペルチェ素子１１の温度が目的の温度（例えば、図１３の２０℃または２３℃）に達しているかを判断する。ペルチェ素子１１の温度が目的の温度に達していない場合には、制御部Ｃｒはペルチェ素子１１に流す電流量の調整を行う。
【００４９】
制御部Ｃｒは、温度可変部ＴＶの温度制御が必要であると判断している間（例えば、図１３の使用者が気温３２℃の屋外にいる間）、ペルチェ素子１１の駆動電流量を変化させるようにしてもよい。例えば、ペルチェ素子１１の駆動電流量を大きくした後、小さくする。この変化を繰り返すようにしてもよい。これにより、温度のゆらぎ効果が生じ、使用者の快適性を高めることができる。また、温度制御装置１の消費電力量を抑えることも可能となる。
【００５０】
制御部Ｃｒは、使用者がインターフェース部ＩＦまたはウエアラブル機器５０により、温度設定を変更したとき、判定閾値および上記設定テーブルの補正を行う（ステップＳ６）。例えば、使用者が冷却方向に３段階目から５段階目へと温度設定を変更したとき、温度制御が必要か否か（ステップＳ３）の判定閾値を緩和するとともに、設定テーブルをオフセット調節してペルチェ素子１１の設定温度を低くする。
【００５１】
温度制御装置１では、例えば、上記のようにして温度制御がなされる。
【００５２】
図１４は、温度制御装置１の通信状態の一例を表している。温度制御装置１は、例えば、サーバ６０との間での信号の送受信が可能となっていてもよい。例えば、温度制御装置１は、無線通信部１５Ｂによりウエアラブル機器５０とデータの送受信を行い、このウエアラブル機器５０とサーバ６０とはインターネットを介してデータの送受信を行う。例えば、温度可変部ＴＶ、センサ群Ｓｇおよびインターフェース部ＩＦから制御部Ｃｒに入力されたデータの履歴が、温度制御装置１からウエアラブル機器５０を介してサーバ６０に送信されるようになっている。このデータの履歴は、例えば、サーバ６０で各アカウントに紐づけて保存および管理される。サーバ６０は、このデータの履歴を分析して、各使用者に適した温度制御装置１の使用方法および使用形態等の提案をするようにしてもよい。あるいは、複数のウエアラブル機器５０から送られるデータの履歴を例えば、使用者の性別、年齢、居住地等の様々な側面から分析し、各使用者に適した温度制御装置１の使用方法および使用形態等の提案をするようにしてもよい。サーバ６０は、温度制御装置１またはウエアラブル機器５０から送られるデータの履歴を分析するとともに各使用者に適した温度制御を学習し、温度制御装置１の制御アルゴリズムを更新するようにしてもよい。
【００５３】
（温度制御装置１の使用方法）
使用者は、温度制御装置１のインターフェース部ＩＦまたはウエアラブル機器５０により、予め温度設定（例えば、冷却方向に５段階および温め方向に５段階）を選択しておく。使用者は、例えば、衣服のポケットに電源を入れた状態の温度制御装置１を収容する。
【００５４】
図１５Ａおよび図１５Ｂは、温度制御装置１を収容するポケット（ポケット７０Ｐ）が設けられた下着（下着７０）の構成を模式的に表している。図１５Ａは、下着７０の胸側を表し、図１５Ｂは下着７０の背側を表す。この下着７０は、温度制御装置１の効果を高める素材により形成されていることが好ましい。例えば、下着７０はポリエステル等により構成されており、高い通気性または高い気密性を有している。下着７０は、使用者が着用したときに、頸椎近傍に配置される位置にポケット７０Ｐを有している。即ち、下着７０の首回りにポケット７０Ｐが設けられている。ポケット７０Ｐは、使用者の肌との接触面側（使用者の体表面側）に設けられていてもよく（図１５Ａ）、使用者の肌との非接触面側（使用者の体表面と反対側）に設けられていてもよい（図１５Ｂ）。ポケット７０Ｐの深さは、例えば、温度制御装置１の長辺の大きさと同程度であり、ポケット７０Ｐ内に温度制御装置１が収容されるようになっている。
【００５５】
吸気口２０Ｉ（図２）からの外気の吸気および排気口２０Ｅ（図４）からの排気を効率よく行うため、温度制御装置１が収容されるポケット７０Ｐ近傍には、通気孔が設けられていることが好ましい。ポケット７０Ｐ近傍は、例えば、下着７０の他の部分よりも織目が粗くなっている。また、ポケット７０Ｐの体表面側には、穴（例えば、後述の図１６Ａ，図１６Ｂの穴７０Ａ）があいていてもよい。この穴を介して温度制御装置１が直接使用者の肌に触れるため、使用者が温度制御装置１の冷却効果あるいは温め効果を体感しやすくなる。よって、使用者の快適性を高めることができる。
【００５６】
例えば、使用者が温度２５℃、湿度５０％の室内から温度３２℃、湿度８０％の屋外に徒歩で出たとき、温度制御装置１の制御部Ｃｒは、温度可変部ＴＶの温度制御が必要であると判断し（図９のステップＳ３）、温度可変部ＴＶ（ペルチェ素子１１）に２０℃への温度調整を行うことを指示する（図１３参照）。これにより、ペルチェ素子１１およびファン１３が駆動される。即ち、温度制御装置１が２０℃に冷却され、使用者の頸椎近傍の肌に冷却された温度制御装置１が触れる。
【００５７】
図１６は、温度制御装置１が使用者の身体Ｂを冷却（２０℃）し、あるいは温める（例えば、４５℃〜５０℃）とともに、温度制御装置１が風Ａを送るときの様子を模式的に表している。身体Ｂは、例えば、頸椎近傍である。例えば、温度制御装置１専用の下着７０のポケット７０Ｐに温度制御装置１を収容することにより、簡便に使用者の脊椎近傍の身体Ｂを冷却する、または温めることが可能となる。このとき、例えば、底面１Ｇをポケット７０Ｐの底面側に配置する。温度制御された温度制御装置１は、ポケット７０Ｐの身体Ｂ側に設けられた穴７０Ａにより使用者の脊椎近傍の肌（身体Ｂ）に触れる。換言すれば、温度制御装置１は、身体Ｂに接触する接触部分Ｃを有している。この温度制御装置１の接触部分Ｃが、使用者の身体Ｂの冷却または温めを行う。
【００５８】
例えば、使用者の頸椎近傍を温度制御装置１が直接冷却することにより、高温環境下であっても、急激な血管拡張および血圧低下が抑えられる。したがって、身体Ｂからの汗のふきだしを抑え、また、頭の温度上昇を抑えることができる。これにより、高温環境下であっても、使用者は快適に過ごすことができる。
【００５９】
また、使用者の身体Ｂからの汗は、下着７０の繊維構造で生じる毛管現象により微細化される。この微細化された汗は、温度制御装置１から送られる風Ａにより効果的に蒸散される。したがって、汗が身体Ｂとシャツ７１との間にこもりにくくなり、使用者の快適性を高めることができる。
【００６０】
例えば、使用者の頸椎近傍を温度制御装置１が直接温めることにより、低温環境下であっても、使用者は快適に過ごすことができる。
【００６１】
このように温度制御装置１が使用者を冷却し、あるいは温めるとき、ペルチェ素子１１は、例えば駆動電流量を変化させ、使用者に温度のゆらぎ効果を与えるようにしてもよい。これにより、使用者の快適性をより高めることができる。センサ群Ｓｇおよびインターフェース部ＩＦのデータの履歴は、メモリ部Ｍｅ、ウエアラブル機器５０またはサーバ６０に保存される。このデータの履歴により、温度制御装置１は使用者の生理特性等を学習し、使用者各々に適した温度制御装置１の使用方法等を実施および提案することができる。
【００６２】
例えば、使用者が温度３２℃、湿度８０％の屋外から温度２５℃、湿度５０％の電車に徒歩で移動すると、温度制御装置１の制御部Ｃｒは、温度可変部ＴＶの温度制御が不要であると判断し（図９のステップＳ３）、温度可変部ＴＶ（ペルチェ素子１１）をオフする。このように、制御部Ｃｒが温度可変部ＴＶの温度制御の要否を判断して、自動的に温度可変部ＴＶのオンオフが行われることにより、省電力化がなされる。
【００６３】
図１７は、図１６に示した温度制御装置１の使用方法の他の例を表している。このように、温度制御装置１の平面１Ｆをポケット７０Ｐの底面側に配置するようにしてもよい。
【００６４】
（作用・効果）
本実施の形態の温度制御装置１では、環境センサ２１Ｓおよび体表面センサ１０Ｓ等で測定された温度および湿度が制御部Ｃｒに入力されるので、環境センサ２１Ｓおよび体表面センサ１０Ｓ等で測定された温度および湿度に応じてペルチェ素子１１の温度制御がなされる。よって、より状況に応じた温度制御を行うことが可能となる。
【００６５】
例えば、保温性または通気性等の機能を高めた機能性衣料の開発が進められている。しかし、機能性衣料では状況に応じた温度制御を行うことができない。
【００６６】
また、工場での作業者および屋外工事の従事者等は空調服を使用することもある。しかし、この空調服は、工場での作業および屋外工事等の用途を想定して開発されたものであり、普段の生活での扱いは困難である。
【００６７】
これに対し、温度制御装置１は、環境センサ２１Ｓおよび体表面センサ１０Ｓ等を有しているので、これらのセンサ群Ｓｇで測定された温度および湿度等に応じてペルチェ素子１１の温度を制御することができる。具体的には、使用者にとって温度制御が必要な状況なのか、どの程度の温度設定が適しているのか等を制御部Ｃｒが判断する。よって、使用者が置かれた状況に応じた温度制御を行うことが可能となる。
【００６８】
特に、発汗作用および温冷感等は、人間の生理特性に基づいており、各使用者により大きく異なる。温度制御装置１では、メモリ部Ｍｅ、ウエアラブル機器５０またはサーバ６０等が、インターフェース部ＩＦおよびセンサ群Ｓｇ等のデータを学習し、この結果に応じて温度制御の方法が補正されるので、使用者各々に適した温度制御を行うことが可能となる。
【００６９】
また、センサ群Ｓｇで測定された測定値により、制御部Ｃｒは各使用者が置かれた状況を推定することができる。したがって、温度制御装置１では、例えば、通勤時の温度制御の方法、発熱時の温度制御の方法および熱中症予防の際の温度制御の方法等を互いに変えることが可能となる。ウエアラブル機器５０またはサーバ６０等が、状況に応じて、使用者に温度制御装置１の使用方法（例えば、冷却する身体の部位等）を提案するようにしてもよい。
【００７０】
更に、温度制御装置１は、例えば下着７０のポケット７０Ｐ（図１５Ａ，図１５Ｂ参照）等に収容可能であり、幅広い年齢層の使用者が容易に身に付けることができる。即ち、使用者は、通勤等の普段の生活で、気軽に温度制御装置１を使用することができる。
【００７１】
以上説明したように、本実施の形態では、環境センサ２１Ｓおよび体表面センサ１０Ｓ等で測定された温度および湿度等を制御部Ｃｒに入力するようにしたので、より状況に応じた温度制御を行うことが可能となる。よって、より使用者の快適性を高めることが可能となる。
【００７２】
また、温度制御装置１は、例えば名刺ケースと同程度の大きさであり、下着７０のポケット７０Ｐに収容可能である。したがって、使用者が、ファッション性を損ねることなく身に付けることができる。
【００７３】
＜変形例１＞
上記図２には温度制御装置１の正面１Ａ側の構成の一例、上記図３には、背面１Ｅ側の構成の一例を各々図示したが、温度制御装置１の構成はこれに限られない。
【００７４】
図１８Ａ，図１８Ｂに温度制御装置１の構成の他の例を表す。図１８Ａは、温度制御装置１の背面１Ｅ側の構成、図１８Ｂは正面１Ａ側の構成を各々表している。このようにバッテリ１４等の部品の小型化等により、ファン１３の背面１Ｅ側に他の部品を設けないようにすることも可能である。このように、ファン１３の背面１Ｅ側に間隙を確保しておくことにより、吸気効率を向上させることが可能となる。
【００７５】
＜変形例２＞
上記図１５Ａには、温度制御装置１の長辺の大きさと同程度の深さを有するポケット７０Ｐを図示したが、ポケット７０Ｐの形状はこれに限られない。
【００７６】
図１９Ａ，図１９Ｂに、他の形状を有するポケット（ポケット７０ＰＨ）の一例を表す。図１９Ａは下着７０の胸側を表し、図１９Ｂは下着７０の背側を表す。このポケット７０ＰＨは、例えば、使用者の肌との接触面側に設けられている。ポケット７０ＰＨの深さは、例えば、温度制御装置１の長辺の大きさの半分程度であり、ポケット７０ＰＨから温度制御装置１の一部が露出されるようになっている。例えば、この下着７０の背側には、穴（穴７０ＡＨ）が設けられている。この穴７０ＡＨは、温度制御装置１の吸気効率を向上させるためのものであり、ポケット７０ＰＨの一部に対応する位置に配置されている。
【００７７】
図２０は、この下着７０のポケット７０ＰＨに温度制御装置１を収容したときの状態を模式的に表している。このとき、例えば、平面１Ｆをポケット７０Ｐの底面側に配置する。筐体２０の凹部２０Ｒに設けられた吸気口２０Ｉに対向する位置に、下着７０の穴７０ＡＨが配置されている。ポケット７０ＰＨから露出された部分の温度制御装置１と身体Ｂとの間には、例えば、シリコンシート８１が設けられており、シリコンシート８１により、温度制御装置１が身体Ｂに密着するようになっている。ここでは、ポケット７０ＰＨから露出された部分の温度制御装置１が身体Ｂに密着するので、温度制御装置１と身体Ｂとの接触部分（接触部分Ｃ）を形成するための穴（穴７０Ａ）が不要となる。これにより、下着７０のコストを抑えることが可能となる。
【００７８】
ポケット７０ＰＨには、平面１Ｆを底面側に配置して温度制御装置１を収容することが好ましい。これにより、底面１Ｇをポケット７０ＰＨの底面側に配置する場合（図１６参照）に比べて、ペルチェ素子１１が使用者の頸椎により近く設けられるので、使用者の冷感が強められる。また、身体Ｂからの汗のふきだしを、より効果的に抑えることが可能となる。
【００７９】
また、下着７０に設けられた穴７０ＡＨは、吸気口２０Ｉからの吸気効率を向上させることができる。これにより、効率よく、上向き（背中から頸椎に向かう方向）の風Ａを発生させることができる。
【００８０】
＜変形例３＞
上記図７には、温度制御装置１の表示面５０Ａに現状表示部ＲＬ、統計表示部ＳＬおよび温度設定表示部ＴＳを表示する例を示したが、表示面５０Ａに表示する内容およびそのデザイン等はこれに限られない。
【００８１】
図２１に、表示面５０Ａの他の例を表す。この表示面５０Ａには、例えば、現状表示部ＲＬ、モード選択部ＭＳおよび温度設定表示部ＴＳが表示されている。即ち、表示面５０Ａに設けられたモード選択部ＭＳにより、温度制御装置１の動作モードを選択できるようになっていてもよい。
【００８２】
例えば、モード選択部ＭＳには、ＡＵＴＯボタン、風量ボタンおよびＭＹボタンが設けられている。ＡＵＴＯボタンは、例えば、トグルによりＯＮ/ＯＦＦの切り替えが行われるようになっている。例えば、ＡＵＴＯボタンをＯＮにすることにより、上記スタンダードモードが選択されるようになっている。即ち、ＡＵＴＯボタンをＯＮすることにより、通勤および通学等の一般的な生活環境を想定したうえで、使用者が快適性を感じられるように、ペルチェ素子１１の温度が自動調整される。
【００８３】
図２２は、風量ボタンを選択した後に表示される表示面５０Ａを表している。例えば、風量ボタンを選択することにより、温度制御装置１から送られる風Ａ（図１６等参照）の強さを選択することができるようになっている。例えば、風Ａの強さは、標準段階、中段階および中段階および強段階の３段階から選択できるようになっている。標準段階は、デフォルト設定の強さである。例えば、中段階では、標準段階よりも強い風Ａが発生し、強段階では、中段階よりも更に強い風Ａが発生するようになっている。例えば、風Ａの強さの設定は、スタンダードモードの選択時にも行えるようになっており、使用者の好みに合わせて風Ａの強さを設定することにより、使用者の快適性をより向上させることが可能となる。また、風Ａの強さを使用者の好みに合わせて設定した後、使用者は温度制御装置１をハンディ扇風機として使用してもよい。
【００８４】
図２３は、ＭＹボタンを選択した後に表示される表示面５０Ａを表している。例えば、ＭＹボタンを選択することにより、使用者は温度設定と時間間隔の設定とを行うことができるようになっている。例えば、比較的高い温度と比較的低い温度との２値の温度を設定した後、この２値の温度を持続する時間を各々設定する。これにより、温度制御装置１による温めおよび冷却が一定の時間間隔で繰り返されるようになる。このようなＭＹボタンの設定は、例えば、肌の温感ケアおよび冷感ケアを交互に繰り返す美容法の一つとして使用するようにしてもよい。あるいは、比較的高い温度または比較的低い温度のどちらか一方のみの温度を設定した後、この温度の持続時間を設定するようにしてもよい。例えば、温度制御装置１による冷却と、冷却の中止（常温状態）とを一定間隔で繰り返すことにより、眠気覚ましとして使用するようにしてもよい。あるいは、比較的低い温度と、更に低い温度との２値の温度を設定した後、この２値の温度を持続する時間を各々設定することも可能である。これにより、温度制御装置１による冷却が、一定の強弱で繰り返されるようになる。このようなＭＹボタンの設定は、例えば、簡易的なアイシングの一つとして使用するようにしてもよい。
【００８５】
例えば、ＭＹボタンの設定画面は、ＳＮＳ（Social Networking Service）の画面に簡単に切り替えられるようになっており、使用者はＳＮＳでシェアされた他の使用者の設定を真似て設定することができる。あるいは、ＭＹボタンの設定画面自体が、ＳＮＳでシェア可能になっていてもよい。
【００８６】
＜その他の変形例＞
上記実施の形態では、温度制御装置１を下着７０のポケット７０Ｐに収容する例を説明したが、温度制御装置１は、他の衣服のポケット（例えば、後述の図２４Ａ，図２４Ｂのポケット７２Ｐ，７３Ｐ）に収容するようにしてもよく、あるいは、取付補助具（後述の図２５のストラップ８０）に取り付けるようにしてもよい。あるいは、使用者が温度制御装置１を手に持ち、冷却または温めを行いたい部位に当てるようにしてもよい。
【００８７】
図２４Ａおよび図２４Ｂは、使用者が下着の上に身に付けるＴシャツ７２およびズボン７３の構成の一例を表している。温度制御装置１は、このＴシャツ７２の胸近傍に設けられたポケット７２Ｐまたはズボン７３のウエスト近傍に設けられたポケット７３Ｐ等に収容するようにしてもよい。温度制御装置１は、使用者が普段見に着けているあらゆる衣服のポケットに収容可能である。
【００８８】
図２５は、温度制御装置１が取り付けられたストラップ８０の構成の一例を表している。このストラップ８０には、使用者の首元に当たる部分に取付部８０Ａが設けられており、この取付部８０Ａに温度制御装置１が取り付けられている。このように、ストラップ形状の取付補助具を用いることにより、使用者は簡便に頸椎近傍の冷却または温めを行うことができる。
【００８９】
上記実施の形態では、主に、使用者の頸椎近傍に温度制御装置１を装着する場合について説明したが、各使用者の生理特性および使用目的等によって、温度制御装置１を装着する身体の部位を選択すればよい。例えば、衣類のポケットの配置場所および取付補助具の形態等を選択することにより、温度制御装置１を配置する身体の部位を容易に変更することができる。
【００９０】
以上、実施の形態および変形例を挙げて本技術を説明したが、本技術は上記実施の形態等に限定されるものではなく、種々変形可能である。例えば、上記実施の形態等において例示した温度制御装置１の構成要素および配置等は、あくまで一例であり、全ての構成要素を備える必要はなく、また、他の構成要素を更に備えていてもよい。
【００９１】
また、上記実施の形態等では、本技術の温度変化素子の一具体例として、ペルチェ素子１１を挙げて説明したが、温度変化素子は他のものにより構成されていてもよい。
【００９２】
また、上記実施の形態等では、温度制御装置１の温度が状況等に応じて自動的に制御される例について説明したが、温度制御装置１は、状況に依らず、設定値に応じた一定の温度調整を行ってもよい。
【００９３】
また、上記実施の形態等では、温度制御装置１の使用例として、人が見に付ける例を説明したが、温度制御装置１は、例えば、飲み物等の物の冷却または温めを行ってもよい。あるいは、温度制御装置１により、スマートフォン等の冷却を行うことも可能である。
【００９４】
なお、本明細書に記載された効果はあくまで例示であってこれに限定されるものではなく、また他の効果があってもよい。
【００９５】
なお、本技術は、以下のような構成も可能である。以下の構成を有する本技術の温度制御装置、衣服および取付補助具によれば、第１センサで測定された温度を制御部に入力するようにしたので、より状況に応じた温度制御を行うことが可能となる。よって、より使用者の快適性を高めることが可能となる。
（１）
少なくとも温度を測定する第１センサと、
前記第１センサで測定された温度が入力される制御部と、
前記制御部に電気的に接続された温度変化素子と、
前記温度変化素子の一方の側に設けられた放熱部材と、
前記放熱部材の周囲の換気を行うファンと
を備えた温度制御装置。
（２）
更に、前記制御部、前記温度変化素子および前記ファンに電源電圧を供給するバッテリを有する
前記（１）に記載の温度制御装置。
（３）
前記第１センサは、前記温度および湿度を測定する
前記（１）または（２）に記載の温度制御装置。
（４）
前記第１センサは、当該温度制御装置の使用者の体表面近傍の前記温度および前記湿度を測定する
前記（３）に記載の温度制御装置。
（５）
更に、当該温度制御装置が配置された環境の温度および湿度を測定する第２センサを有する
前記（４）に記載の温度制御装置。
（６）
更に、前記温度変化素子の温度を測定する第３センサを有する
前記（５）に記載の温度制御装置。
（７）
前記制御部は、少なくとも、予め入力された温度の設定値と、前記第１センサで測定された前記温度および前記湿度と、前記第２センサで測定された前記温度および前記湿度と、前記第３センサで測定された温度とに基づいて、前記温度変化素子の温度を制御するように構成されている
前記（６）に記載の温度制御装置。
（８）
更に、当該温度制御装置の加速度を測定し、測定した前記加速度が前記制御部に入力される第４センサを有し、
前記制御部は、更に、前記第４センサで測定された前記加速度に基づいて前記温度変化素子の温度を制御するように構成されている
前記（７）に記載の温度制御装置。
（９）
前記制御部の信号に基づいて前記温度が制御される間、前記温度変化素子に流れる電流量が変化するように構成されている
前記（１）ないし（８）のうちいずれか１つに記載の温度制御装置。
（１０）
前記制御部には、ウエアラブル機器との間でデータの送受信が可能な無線通信部が設けられている
前記（１）ないし（９）のうちいずれか１つに記載の温度制御装置。
（１１）
前記温度変化素子は、ペルチェ素子により構成されている
前記（１）ないし（１０）のうちいずれか１つに記載の温度制御装置。
（１２）
湾曲した側面形状を有する
前記（１）ないし（１１）のうちいずれか１つに記載の温度制御装置。
（１３）
温度制御装置を収容するポケットが設けられ、
前記温度制御装置は、
少なくとも温度を測定するセンサと、
前記センサで測定された温度が入力される制御部と、
前記制御部に電気的に接続された温度変化素子と、
前記温度変化素子の一方の側に設けられた放熱部材と、
前記放熱部材の周囲の換気を行うファンとを有する
衣服。
（１４）
前記ポケットは、使用者の体表面側に設けられている
前記（１３）に記載の衣服。
（１５）
前記ポケットは、使用者の体表面と反対側に設けられている
前記（１３）に記載の衣服。
（１６）
温度制御装置の取付部を有し、
前記温度制御装置は、
少なくとも温度を測定するセンサと、
前記センサで測定された温度が入力される制御部と、
前記制御部に電気的に接続された温度変化素子と、
前記温度変化素子の一方の側に設けられた放熱部材と、
前記放熱部材の周囲の換気を行うファンとを有する
取付補助具。
（１７）
ストラップ形状を有する
前記（１６）に記載の取付補助具。
【００９６】
本出願は、日本国特許庁において２０１８年９月２６日に出願された日本特許出願番号第２０１８−１８０１５９号および２０１９年５月１６日に出願された日本特許出願番号第２０１９−９３０２０号を基礎として優先権を主張するものであり、この出願の全ての内容を参照によって本出願に援用する。
【００９７】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2020066564.tif 000003
【図２】
2020066564.tif 000004
【図３】
2020066564.tif 000005
【図４】
2020066564.tif 000006
【図５Ａ】
2020066564.tif 000007
【図５Ｂ】
2020066564.tif 000008
【図６】
2020066564.tif 000009
【図７】
2020066564.tif 000010
【図８Ａ】
2020066564.tif 000011
【図８Ｂ】
2020066564.tif 000012
【図８Ｃ】
2020066564.tif 000013
【図９】
2020066564.tif 000014
【図１０】
2020066564.tif 000015
【図１１】
2020066564.tif 000016
【図１２】
2020066564.tif 000017
【図１３】
2020066564.tif 000018
【図１４】
2020066564.tif 000019
【図１５Ａ】
2020066564.tif 000020
【図１５Ｂ】
2020066564.tif 000021
【図１６】
2020066564.tif 000022
【図１７】
2020066564.tif 000023
【図１８Ａ】
2020066564.tif 000024
【図１８Ｂ】
2020066564.tif 000025
【図１９Ａ】
2020066564.tif 000026
【図１９Ｂ】
2020066564.tif 000027
【図２０】
2020066564.tif 000028
【図２１】
2020066564.tif 000029
【図２２】
2020066564.tif 000030
【図２３】
2020066564.tif 000031
【図２４Ａ】
2020066564.tif 000032
【図２４Ｂ】
2020066564.tif 000033
【図２５】
2020066564.tif 000034
【国際調査報告】
2020066564.tif 000035
2020066564.tif 000036
2020066564.tif 000037
2020066564.tif 000038